【手続補正書】
【提出日】平成27年6月1日(2015.6.1)
【手続補正１】
【補正対象書類名】特許請求の範囲
【補正対象項目名】全文
【補正方法】変更
【補正の内容】
【特許請求の範囲】
【請求項１】
ベースフィルム層とシーラント層とを具える積層構造の包装用フィルムのシーラント層を融着接合させてなるフレキシブル包装袋本体の側部内表面のシーラント層に、表裏の両面にシーラント層を具える薄肉の平坦積層フィルムからなり、袋内被包装物の注出通路の周りを、基端辺を除いて融着接合させてなるセルフシール機能を有する逆止注出ノズルの基端部外表面を融着接合させて、該逆止注出ノズルをフレキシブル包装袋本体の上端部分もしくは下端部分から側方へ突出させてなる包装袋であって、
フレキシブル包装袋本体に連続して、前記逆止注出ノズルを、それの表面側および裏面側のそれぞれから全体にわたって覆う包装用フィルムの突出部分を設けるとともに、包装用フィルムの、表裏の該突出部分に、逆止注出ノズルのフレキシブル包装袋本体からの突出方向の中間部を横切って延びる引裂き誘導疵を設けてなり、包装袋本体の上端もしくは下端のいずれか一方で開口させてなる包装袋。
【請求項２】
包装用フィルムの前記突出部分の対向する内表面のシーラント層どうしを、逆止注出ノズルの近傍で、包装袋本体の横方向に融着接合させてなる請求項１に記載の包装袋。
【請求項３】
包装用フィルムの前記突出部分の、包装袋本体の横方向に延びる融着接合部を、包装袋本体の下端部もしくは上端部の横シール部に連続させて形成してなる請求項２に記載の包装袋。
【請求項４】
包装用フィルムの前記突出部分の、包装袋本体の横方向に延びる融着接合部を、包装袋本体の下端部もしくは上端部の横シール部と平行に延びる、融着部の延長線上に形成してなる請求項２に記載の包装袋。
【請求項５】
包装用フィルムの前記突出部分の遊端部で、包装用フィルムの対向する内表面のシーラント層どうしを、包装袋本体の縦方向に融着接合させてなる請求項１〜４のいずれか１項に記載の包装袋。
【請求項６】
前記引裂き誘導疵を、逆止注出ノズルの突出方向の中央部分を横切る位置に形成してなる請求項１〜５のいずれか１項に記載の包装袋。
【請求項７】
前記引裂き誘導疵を、逆止注出ノズルとの重なり域で、直線状もしくは曲線状に形成してなる請求項１〜６のいずれか１項に記載の包装袋。
【請求項８】
前記引裂き誘導疵を、包装用フィルムの突出部分の厚み方向に貫通するミシン目状の穿孔により形成してなる請求項１〜７のいずれか１項に記載の包装袋。
【請求項９】
前記引裂き誘導疵を、包装用フィルムのベースフィルム層に連続的もしくは間欠的に形成した条溝により形成してなる請求項１〜７のいずれか１項に記載の包装袋。
【請求項１０】
逆止注出ノズルの基端部を融着接合させた包装袋本体の内表面のシーラント層に、該逆止注出ノズルの基端部の、包装袋の下端側の領域を含んで、被包装物の収納スペース側へ迫出す、補強シール部を設けてなる請求項１〜９のいずれか１項に記載の包装袋。
【請求項１１】
前記補強シール部の平面輪郭形状を、円形、楕円形、長円形もしくは多角形としてなる請求項１０に記載の包装袋。
【請求項１２】
前記平面輪郭形状が多角形をなす補強シール部の、少なくとも包装袋の上端側の隅部を、外側へ突出する曲線状の輪郭形状としてなる請求項１１に記載の包装袋。
【請求項１３】
前記逆止注出ノズルの基端部分の内表面に、注出通路を完全に閉止する仮融着部を設けてなる請求項１〜１２のいずれか１項に記載の包装袋。
【請求項１４】
前記仮融着部の融着強度を、逆止注出ノズルの注出通路の周りの融着強度の半分以下としてなる請求項１３に記載の包装袋。
【請求項１５】
請求項１〜１４のいずれかに記載の包装袋の、上端開口もしくは下端開口から液状の被包装物を充填するとともに、包装袋の上端部もしくは下端部を抜気下で横シールして、形成される横シール部を、包装用フィルムの突出部分の全体にわたって延在させてなる包装体。
【請求項１６】
請求項１に記載の包装袋を製造するに当たり、
多数の逆止注出ノズルを予め形成したノズルフィルムを、所要の速度で走行される、引裂き誘導疵を予め形成した包装用フィルムに対して繰出し走行させて、両フィルムの等速走行下で、各個の逆止注出ノズルの基端部外表面の一方のシーラント層を、前記引裂き誘導疵が逆止注出ノズルの中間部を通過し、かつ、逆止注出ノズルの先端が包装用フィルムの側縁と整列する位置もしくは、逆止注出ノズルの先端を包装用フィルムの側縁から引っ込めた位置で、包装用フィルムの内表面のシーラント層に融着接合させ、次いで、ノズルフィルムの不要部分を、逆止注出ノズルから切り離して除去し、その後、包装用フィルムを幅方向の中央部で半折して、包装用フィルムの半折側のシーラント層を、逆止注出ノズルの基端部外表面の他方のシーラント層、および、該逆止注出ノズルの前記基端部の延長線上で対向する包装用フィルムのそれぞれに縦方向に融着接合させて包装袋を形成するとともに、製造される包装袋の下端部もしくは上端部のいずれかと対応する位置で、横方向に融着接合させて、包装袋本体から側方へ突出する逆止注出ノズルを、該包装袋本体から連続する包装用フィルムの突出部分で、表裏面の両面側から覆う包装袋の製造方法。
【手続補正２】
【補正対象書類名】明細書
【補正対象項目名】００１０
【補正方法】変更
【補正の内容】
【００１０】
この発明の包装袋は、ベースフィルム層とシーラント層とを具え、中間層、蒸着層等を具えることを可とする積層構造の包装用フィルムのシーラント層を、融着接合させてなる、たとえば、側方シール形、二方シール形、三方シール形等の、自立用底部を設けることを可とするフレキシブル包装袋本体の側部内表面のシーラント層に、表裏の両方にシーラント層を具える薄肉の平坦積層フィルムの一枚もしくは二枚からなり、袋内被包装物の注出通路の周りを基端辺を除いて、内表面シーラント層で融着接合させてなるセルフシール機能を有する逆止注出ノズルの基端部外表面のシーラント層を融着接合させて、該逆止注出ノズルをフレキシブル包装袋本体の上端部分もしくは下端部分から側方へ突出させてなるものであって、フレキシブル包装袋本体に連続して、前記逆止注出ノズルを、それの表面側および裏面側のそれぞれから全体にわたって覆う包装用フィルムの突出部分を設けるとともに、該包装用フィルムの表裏の突出部分に、逆止注出ノズルの中間部、たとえばフレキシブル包装袋本体からの突出方向の中央部分を横切って延びて、逆止注出ノズルへの引裂き開口の形成予定位置より包装袋本体側に位置する引裂き誘導疵を設けてなり、包装袋本体の上端もしくは下端のいずれか一方で開口させてなるものである。
【手続補正３】
【補正対象書類名】明細書
【補正対象項目名】００１１
【補正方法】変更
【補正の内容】
【００１１】
ここで好ましくは、包装用フィルムの突出部分の、対向する内表面のシーラント層を、逆止注出ノズルの近傍で、フレキシブル包装袋本体の横方向に融着接合させて、逆止注出ノズルの、外側への露出を拘束する。
この場合、より好ましくは、包装用フィルムの突出部分の、フレキシブル包装袋本体の横方向に延びる融着接合部を、フレキシブル包装袋本体の下端部もしくは上端部の横シール部に連続させて形成する。
【手続補正４】
【補正対象書類名】明細書
【補正対象項目名】００１３
【補正方法】変更
【補正の内容】
【００１３】
そして、これらのことに代えて、もしくは加えて、包装用フィルムの前記突出部分の遊端部で、包装用フィルムの、対向する内表面のシーラント層を、フレキシブル包装袋本体の縦方向に、たとえば直線状、曲線状等に融着接合させることが好ましい。
【手続補正５】
【補正対象書類名】明細書
【補正対象項目名】００１６
【補正方法】変更
【補正の内容】
【００１６】
ここで、引裂き誘導疵は、包装用フィルムの突出部分の厚み方向に貫通するミシン目状の穿孔により形成することが、引裂き誘導疵の前方側部分の引裂き除去をより容易にする上で好ましい。
この一方で、引裂き誘導疵を、包装用フィルムのベースフィルム層に、レーザ加工等によって連続的もしくは間欠的に形成されて、シーラント層には達しない条溝により形成することは、逆止注出ノズルの、外気との接触を確実に阻止する上で好ましい。
【手続補正６】
【補正対象書類名】明細書
【補正対象項目名】００２２
【補正方法】変更
【補正の内容】
【００２２】
そして、この発明の包装袋の製造方法は、前記包装袋を製造するに当たって、多数の逆止注出ノズルを予め形成したノズルフィルム、ひいてはノズルフィルムの巻回ロールを、所要の速度で連続走行される、引裂き誘導疵を予め形成した包装用フィルムに対して繰り出し走行させて、両フィルムの等速走行下で、各個の逆止注出ノズルの基端部外表面の一方のシーラント層を、前記引裂き誘導疵が逆止注出ノズルの突出方向の中間部を通過し、かつ、逆止注出ノズルの先端が包装用フィルムの側縁と整列する位置もしくは、逆止注出ノズルの先端を包装用フィルムの側縁から幾分引っ込めた位置で、包装用フィルムの内表面のシーラント層に融着接合させ、次いで、ノズルフィルムの不要な部分を、逆止注出ノズルから切り離して除去し、その後、包装用フィルムを幅方向の中央部で半折して、該半折部の引裂き誘導疵を、前記引裂き誘導疵に対応させて逆止注出ノズルの中間部に通過させ、そして、包装用フィルムの半折側のシーラント層を、逆止注出ノズルの基端部外表面の他方のシーラント層、および該逆止注出ノズルの前記基端部の延長線上で対向する包装用フィルムのそれぞれに縦方向に融着接合させて包装袋を形成すると共に、該包装用フィルムのシーラント層を、製造される包装袋の下端部もしくは上端部のいずれかと対応する位置で横方向に融着接合させて、フレキシブル包装袋本体から側方へ突出する逆止注出ノズルを、フレキシブル包装袋本体に連続する包装用フィルムの突出部分で、表裏面の両面側から覆うにある。
【手続補正７】
【補正対象書類名】図面
【補正対象項目名】全図
【補正方法】変更
【補正の内容】
【図１】
2014009030.tif 000001
【図２】
2014009030.tif 000002
【図３】
2014009030.tif 000003
【図４】
2014009030.tif 000004
【図５】
2014009030.tif 000005
【図６】
2014009030.tif 000006
【図７】
2014009030.tif 000007
【図８】
2014009030.tif 000008
【図９】
2014009030.tif 000009
【図１０】
2014009030.tif 000010
【図１１】
2014009030.tif 000011
【図１２】
2014009030.tif 000012
【図１３】
2014009030.tif 000013